(57)【要約】【課題】伝搬路の状況に応じて適応的に最適な無線モードで通信する無線通信システムを得る。【解決手段】複数の無線モードを切替える送信装置１と、複数の無線モードを同時に受信する受信装置２とから構成される。送信装置１は、送信回路５と切替制御回路６とを備える。送信回路５は、データ系列の送信信号１０２をシンボル系列の送信信号１０３に変換するデータ変調回路３９と、無線モードに対応した複数の変調回路３ａ〜３ｋと、変調回路を選択するスイッチ回路４とを含む。受信装置２は、受信回路８と伝搬路推定評価回路９とを備える。受信回路８は、無線モードに対応した複数の復調回路７ａ〜７ｋと、複数のデータ復調回路４０ａ〜４０ｋとを含む。切替制御回路６は、伝搬路推定評価回路９からの制御情報１０６に基づいてスイッチ回路４を切替制御して、送信信号の無線モードを切替える【選択図】図２
2012019425.tif 000002
【特許請求の範囲】
【請求項１】
複数の無線モードを切替えて送信信号を送出する機能を有する送信装置と、
前記複数の無線モードの送信信号を同時に受信する機能を有する受信装置と
により構成された無線通信システムであって、
前記送信装置は、
前記送信信号を送出する送信回路と、
前記複数の無線モードを切替える切替制御回路とを備え、
前記送信回路は、
データ系列の送信信号をシンボル系列の送信信号に変換するデータ変調回路と、
前記複数の無線モードの各々に対応して変調処理を行う複数の変調回路と、
前記複数の無線モードの各々に対応して前記複数の変調回路のいずれかを選択するスイッチ回路とを含み、
前記受信装置は、
前記送信装置からの送信信号を受信して受信信号を取得する受信回路と、
前記複数の無線モードの各々に対して受信時の伝搬路を推定評価する伝搬路推定評価回路とを備え、
前記受信回路は、
前記複数の無線モードに対応して復調処理を行う複数の復調回路と、
復調されたシンボル系列の受信信号をデータ系列の受信信号に変換する複数のデータ復調回路とを含み、
前記切替制御回路は、前記伝搬路推定評価回路からの推定評価結果に基づいて前記スイッチ回路を切替制御することにより、前記送信装置から送出される送信信号の無線モードを切替えることを特徴とする無線通信システム。
【請求項２】
前記送信装置および前記受信装置は、前記複数の無線モードに対応して異なるＲＦ周波数帯域を割り当てる構成からなり、
前記送信回路は、前記複数の変調回路によって変調された各送信信号を異なる周波数帯域のＲＦ信号に変換する複数の周波数変換回路を含み、
前記受信回路は、複数の無線モードのＲＦ信号に対応して周波数を変換する複数の周波数変換回路を含み、
前記複数の復調回路は、周波数変換された受信信号の復調処理を行うことを特徴とする請求項１に記載の無線通信システム。
【請求項３】
前記送信装置および前記受信装置は、前記複数の無線モードとして、シングルキャリア伝送とマルチキャリア伝送との２つの異なる伝送モードを割り当てる構成からなり、
前記送信回路は、前記複数の変調回路として、
前記シングルキャリア伝送に対応したシングルキャリア伝送変調回路と、
前記マルチキャリア伝送に対応したマルチキャリア伝送変調回路とを含み、
前記受信回路は、前記複数の復調回路として、
前記シングルキャリア伝送に対応したシングルキャリア伝送復調回路と、
前記マルチキャリア伝送に対応したマルチキャリア伝送復調回路と
を含むことを特徴とする請求項１または請求項２に記載の無線通信システム。
【請求項４】
複数の無線モードを切替えて送信信号を送出する機能を有する送信装置と、
前記複数の無線モードの送信信号を同時に受信する機能を有する受信装置と
により構成された無線通信システムであって、
前記送信装置および前記受信装置は、シングルキャリア伝送モードであって、かつ、前記複数の無線モードに対応して異なるＲＦ周波数帯域を割り当てる構成からなり、
前記送信装置は、
前記送信信号を送出する送信回路と、
前記複数の無線モードを切替える切替制御回路とを備え、
前記送信回路は、
データ系列の送信信号をシンボル系列の送信信号に変換するデータ変調回路と、
前記データ変調回路からの前記シンボル系列の送信信号を周波数成分に変換するフーリエ変換回路と、
前記フーリエ変換回路からの周波数成分にフィルタ係数を乗積する送信フィルタ処理回路と、
前記送信フィルタ処理回路の出力信号に対し前記複数の無線モードに対応した周波数配置を与える周波数マッパ回路と、
前記周波数マッパ回路により配置された周波数領域成分の信号を、前記複数の無線モードに対応した時間領域成分の信号に変換する逆フーリエ変換回路と、
前記時間領域成分の信号にガードインタバルを付加するガードインタバル回路と、
前記ガードインタバルが付加された時間領域成分のディジタル信号をアナログ信号に変換するＤＡコンバータ回路と、
前記ＤＡコンバータ回路からのアナログ信号を、前記複数の無線モードに対応して異なる周波数帯域のＲＦ信号に変換する複数の周波数変換回路と、
前記複数の無線モードの各々に対応して前記複数の周波数変換回路のいずれかを選択するスイッチ回路とを含み、
前記受信装置は、
前記送信装置からの送信信号を受信して受信信号を取得する受信回路と、
前記複数の無線モードの各々に対して受信時の伝搬路を推定評価する伝搬路推定評価回路とを備え、
前記受信回路は、
前記複数の無線モードのＲＦ信号に対応して周波数を変換する複数の周波数変換回路と、
前記複数の周波数変換回路により周波数変換されたアナログ信号をディジタル信号に変換する複数のＡＤコンバータ回路と、
前記複数のＡＤコンバータ回路からのディジタル信号からガードインタバルを除去する複数のガードインタバル除去回路と、
前記ガードインタバルが除去された時間領域成分の信号を周波数領域成分の信号に変換する複数のフーリエ変換回路と、
前記複数のフーリエ変換回路からの周波数領域成分の信号に対し周波数配置を変更する周波数デマッパ回路と、
前記周波数デマッパ回路の出力信号にフィルタ係数を乗積する受信フィルタ処理回路と、
前記受信フィルタ処理回路からの周波数領域成分の信号を、前記複数の無線モードに対応した時間領域成分の信号に変換する複数の逆フーリエ変換回路と、
前記複数の逆フーリエ変換回路からのシンボル系列の受信信号をデータ系列の受信信号に変換する複数のデータ復調回路とを含み、
前記切替制御回路は、前記伝搬路推定評価回路からの推定評価結果に基づいて、前記周波数マッパ回路および前記スイッチ回路を切替制御することにより、前記送信装置から送出される送信信号の無線モードを切替えることを特徴とする無線通信システム。
【請求項５】
複数の無線モードを切替えて送信信号を送出する機能を有する送信装置と、
前記複数の無線モードの送信信号を同時に受信する機能を有する受信装置と
により構成された無線通信システムであって、
前記送信装置および前記受信装置は、シングルキャリア伝送モードであって、かつ、前記複数の無線モードに対応して異なるＲＦ周波数帯域を割り当てる構成からなり、
前記送信装置は、
前記送信信号を送出する送信回路と、
前記複数の無線モードを切替える切替制御回路とを備え、
前記送信回路は、
データ系列の送信信号をシンボル系列の送信信号に変換するデータ変調回路と、
前記データ変調回路からの前記シンボル系列の送信信号を周波数成分に変換するフーリエ変換回路と、
前記フーリエ変換回路からの周波数成分にフィルタ係数を乗積する送信フィルタ処理回路と、
前記送信フィルタ処理回路の出力信号に対し前記複数の無線モードに対応した周波数配置を与える周波数マッパ回路と、
前記周波数マッパ回路により配置された周波数領域成分の信号を、前記複数の無線モードに対応した時間領域成分の信号に変換する複数の逆フーリエ変換回路と、
前記複数の逆フーリエ変換回路からの時間領域成分の信号の各々にガードインタバルを付加する複数のガードインタバル回路と、
前記ガードインタバルが付加された複数の時間領域成分のディジタル信号の各々をアナログ信号に変換する複数のＤＡコンバータ回路と、
前記複数のＤＡコンバータ回路からのアナログ信号を、前記複数の無線モードに対応して異なる周波数帯域のＲＦ信号に変換する複数の周波数変換回路とを含み、
前記受信装置は、
前記送信装置からの送信信号を受信して受信信号を取得する受信回路と、
前記複数の無線モードの各々に対して受信時の伝搬路を推定評価する伝搬路推定評価回路とを備え、
前記受信回路は、
前記複数の無線モードのＲＦ信号に対応して周波数を変換する複数の周波数変換回路と、
前記複数の周波数変換回路により周波数変換されたアナログ信号をディジタル信号に変換する複数のＡＤコンバータ回路と、
前記複数のＡＤコンバータ回路からのディジタル信号からガードインタバルを除去する複数のガードインタバル除去回路と、
前記ガードインタバルが除去された時間領域成分の信号を周波数領域成分の信号に変換する複数のフーリエ変換回路と、
前記複数のフーリエ変換回路からの周波数領域成分の信号に対し周波数配置を変更する周波数デマッパ回路と、
前記周波数デマッパ回路の出力信号にフィルタ係数を乗積する受信フィルタ処理回路と、
前記受信フィルタ処理回路からの周波数領域成分の信号を、前記複数の無線モードに対応した時間領域成分の信号に変換する複数の逆フーリエ変換回路と、
前記複数の逆フーリエ変換回路からのシンボル系列の受信信号をデータ系列の受信信号に変換する複数のデータ復調回路とを含み、
前記切替制御回路は、前記伝搬路推定評価回路からの推定評価結果に基づいて、前記周波数マッパ回路を切替制御することにより、前記送信装置から送出される送信信号の無線モードを切替えることを特徴とする無線通信システム。
【請求項６】
複数の無線モードを切替えて送信信号を送出する機能を有する送信装置と、
前記複数の無線モードの送信信号を同時に受信する機能を有する受信装置と
により構成された無線通信システムであって、
前記送信装置および前記受信装置は、マルチキャリア伝送モードであって、かつ、複数の無線モードに対応して異なるＲＦ周波数帯域を割り当てる構成からなり、
前記送信装置は、
前記送信信号を送出する送信回路と、
前記複数の無線モードを切替える切替制御回路とを備え、
前記送信回路は、
データ系列の送信信号をシンボル系列の送信信号に変換するデータ変調回路と、
前記シンボル系列の送信信号を並列に並び替える直並列変換回路と、
前記直並列変換回路の出力信号に対し複数の無線モードに対応した周波数配置を与える周波数マッパ回路と、
前記周波数マッパ回路により配置された周波数領域成分の信号を、前記複数の無線モードに対応した時間領域成分の信号に変換する逆フーリエ変換回路と、
前記時間領域成分の信号にガードインタバルを付加するガードインタバル回路と、
前記ガードインタバルが付加された時間領域成分のディジタル信号をアナログ信号に変換するＤＡコンバータ回路と、
前記ＤＡコンバータ回路からのアナログ信号を、前記複数の無線モードに対応して異なる周波数帯域のＲＦ信号に変換する複数の周波数変換回路と、
前記複数の無線モードの各々に対応して前記複数の周波数変換回路のいずれかを選択するスイッチ回路とを含み、
前記受信装置は、
前記送信装置からの送信信号を受信して受信信号を取得する受信回路と、
前記複数の無線モードの各々に対して受信時の伝搬路を推定評価する伝搬路推定評価回路とを備え、
前記受信回路は、
前記複数の無線モードのＲＦ信号に対応して周波数を変換する複数の周波数変換回路と、
前記複数の周波数変換回路により周波数変換されたアナログ信号をディジタル信号に変換する複数のＡＤコンバータ回路と、
前記複数のＡＤコンバータ回路からのディジタル信号からガードインタバルを除去する複数のガードインタバル除去回路と、
前記ガードインタバルが除去された時間領域成分の信号を周波数領域成分の信号に変換する複数のフーリエ変換回路と、
前記複数のフーリエ変換回路からの周波数領域成分の信号に対し周波数配置を変更する周波数デマッパ回路と、
前記周波数デマッパ回路からの並列配置された信号を直列に並び替える複数の並直列変換回路と、
前記複数の並直列変換回路からのシンボル系列の受信信号をデータ系列の受信信号に変換する複数のデータ復調回路とを含み、
前記切替制御回路は、前記伝搬路推定評価回路からの推定評価結果に基づいて、前記周波数マッパ回路および前記スイッチ回路を切替制御することにより、前記送信装置から送出される送信信号の無線モードを切替えることを特徴とする無線通信システム。
【請求項７】
複数の無線モードを切替えて送信信号を送出する機能を有する送信装置と、
前記複数の無線モードの送信信号を同時に受信する機能を有する受信装置と
により構成された無線通信システムであって、
前記送信装置および前記受信装置は、マルチキャリア伝送モードであって、かつ、複数の無線モードに対応して異なるＲＦ周波数帯域を割り当てる構成からなり、
前記送信装置は、
前記送信信号を送出する送信回路と、
前記複数の無線モードを切替える切替制御回路とを備え、
前記送信回路は、
データ系列の送信信号をシンボル系列の送信信号に変換するデータ変調回路と、
前記シンボル系列の送信信号を並列に並び替える直並列変換回路と、
前記直並列変換回路の出力信号に対し複数の無線モードに対応した周波数配置を与える周波数マッパ回路と、
前記周波数マッパ回路により配置された周波数領域成分の信号を、前記複数の無線モードに対応した時間領域成分の信号に変換する複数の逆フーリエ変換回路と、
前記複数の逆フーリエ変換回路からの時間領域成分の信号の各々にガードインタバルを付加する複数のガードインタバル回路と、
前記ガードインタバルが付加された時間領域成分のディジタル信号の各々をアナログ信号に変換する複数のＤＡコンバータ回路と、
前記複数のＤＡコンバータ回路からのアナログ信号を、前記複数の無線モードに対応して異なる周波数帯域のＲＦ信号に変換する複数の周波数変換回路とを含み、
前記受信装置は、
前記送信装置からの送信信号を受信して受信信号を取得する受信回路と、
前記複数の無線モードの各々に対して受信時の伝搬路を推定評価する伝搬路推定評価回路とを備え、
前記受信回路は、
前記複数の無線モードのＲＦ信号に対応して周波数を変換する複数の周波数変換回路と、
前記複数の周波数変換回路により周波数変換されたアナログ信号をディジタル信号に変換する複数のＡＤコンバータ回路と、
前記複数のＡＤコンバータ回路からのディジタル信号からガードインタバルを除去する複数のガードインタバル除去回路と、
前記ガードインタバルが除去された時間領域成分の信号を周波数領域成分の信号に変換する複数のフーリエ変換回路と、
前記複数のフーリエ変換回路からの周波数領域成分の信号に対し周波数配置を変更する周波数デマッパ回路と、
前記周波数デマッパ回路からの並列配置された信号を直列に並び替える複数の並直列変換回路と、
前記複数の並直列変換回路からのシンボル系列の受信信号をデータ系列の受信信号に変換する複数のデータ復調回路とを含み、
前記切替制御回路は、前記伝搬路推定評価回路からの推定評価結果に基づいて、前記周波数マッパ回路を切替制御することにより、前記送信装置から送出される送信信号の無線モードを切替えることを特徴とする無線通信システム。
【請求項８】
複数の無線モードを切替えて送信信号を送出する機能を有する送信装置と、
前記複数の無線モードの送信信号を同時に受信する機能を有する受信装置と
により構成された無線通信システムであって、
前記送信装置および前記受信装置は、無線モードに対応してシングルキャリア伝送またはマルチキャリア伝送のいずれかの伝送モードを割り当てる構成からなり、
前記送信装置は、
前記送信信号を送出する送信回路と、
前記複数の無線モードを切替える切替制御回路とを備え、
前記送信回路は、
データ系列の送信信号をシンボル系列の送信信号に変換するデータ変調回路と、
シングルキャリア伝送用変調部と、
マルチキャリア伝送用変調部と、
前記シングルキャリア伝送と前記マルチキャリア伝送の２つの無線モードに対応して、前記シングルキャリア伝送用変調部または前記マルチキャリア伝送用変調部を選択するスイッチ回路と、
前記シングルキャリア伝送用変調部および前記マルチキャリア伝送用変調部からの周波数領域成分の信号を時間領域成分の信号に変換する逆フーリエ変換回路と、
前記逆フーリエ変換回路からの時間領域成分の信号にガードインタバルを付加するガードインタバル回路と、
前記ガードインタバルが付加された時間領域成分のディジタル信号をアナログ信号に変換するＤＡコンバータ回路と、
前記ＤＡコンバータ回路からのアナログ信号をＲＦ信号に変換する周波数変換回路とを含み、
前記シングルキャリア伝送用変調部は、
前記シンボル系列の送信信号を周波数領域成分の信号に変換するフーリエ変換回路と、
前記フーリエ変換回路からの周波数領域成分の信号にフィルタ係数を乗積する送信フィルタ処理回路と、
送信フィルタ処理回路の出力信号に対し無線モードに対応した周波数配置を与える周波数マッパ回路とからなり、
前記マルチキャリア伝送用変調部は、
前記シンボル系列の送信信号を並列に並び替える直並列変換回路と、
前記直並列変換回路の出力信号に対し無線モードに対応した周波数配置を与える周波数マッパ回路とからなり、
前記受信装置は、
前記送信装置からの送信信号を受信して受信信号を取得する受信回路と、
前記複数の無線モードの各々に対して受信時の伝搬路を推定評価する伝搬路推定評価回路とを備え、
前記受信回路は、
前記ＲＦ信号に対応して周波数を変換する周波数変換回路と、
前記周波数変換回路により周波数変換されたアナログ信号をディジタル信号に変換するＡＤコンバータ回路と、
前記ＡＤコンバータ回路からのディジタル信号からガードインタバルを除去するガードインタバル除去回路と、
前記ガードインタバルが除去された時間領域成分の信号を周波数領域成分の信号に変換するフーリエ変換回路と、
シングルキャリア伝送用復調部と、
マルチキャリア伝送用復調部とを含み、
前記シングルキャリア伝送用復調部は、
前記フーリエ変換回路からの周波数領域成分の信号に対し周波数配置を変更する周波数デマッパ回路と、
前記周波数デマッパ回路からの出力信号にフィルタ係数を乗積する受信フィルタ処理回路と、
前記受信フィルタ処理回路からの周波数領域成分の信号を時間領域成分の信号に変換する逆フーリエ変換回路と、
前記逆フーリエ変換回路からのシンボル系列の信号をデータ系列の信号に変換するデータ復調回路とからなり、
前記マルチキャリア伝送用復調部は、
前記フーリエ変換回路からの周波数領域成分の信号に対し周波数配置を変更する周波数デマッパ回路と、
前記周波数デマッパ回路からの並列配置された信号を直列に並び替える並直列変換回路と、
前記並直列変換回路からのシンボル系列の信号をデータ系列の信号に変換するデータ復調回路とからなり、
前記切替制御回路は、前記伝搬路推定評価回路からの推定評価結果に基づいて、前記周波数マッパ回路および前記スイッチ回路を切替制御することにより、前記送信装置から送出される送信信号の無線モードを切替えることを特徴とする無線通信システム。
【請求項９】
前記周波数変換回路は、前記ＤＡコンバータ回路からのアナログ信号を無線モードに対応して異なる周波数帯域のＲＦ信号に変換する複数の周波数変換回路からなり、
前記送信回路は、前記ＤＡコンバータ回路と前記複数の周波数変換回路との間に挿入されて、前記複数の無線モードに対応して前記複数の周波数変換回路を選択する別のスイッチ回路を含み、
前記受信回路内の周波数変換回路、ＡＤコンバータ回路、ガードインタバル除去回路およびフーリエ変換回路は、それぞれ並設された複数の周波数変換回路、ＡＤコンバータ回路、ガードインタバル除去回路およびフーリエ変換回路からなり、
前記切替制御回路は、前記伝搬路推定評価回路からの推定評価結果に基づいて、前記周波数マッパ回路および前記スイッチ回路および前記別のスイッチ回路を切替制御することにより、前記送信装置から送出される送信信号の無線モードを切替えることを特徴とする請求項８に記載の無線通信システム。
【請求項１０】
前記送信回路内の逆フーリエ変換回路、ガードインタバル回路、ＤＡコンバータ回路および周波数変換回路は、それぞれ並設された複数の逆フーリエ変換回路、ガードインタバル回路、ＤＡコンバータ回路および周波数変換回路からなり、
前記受信回路内の周波数変換回路、ＡＤコンバータ回路、ガードインタバル除去回路およびフーリエ変換回路は、それぞれ並設された複数の周波数変換回路、ＡＤコンバータ回路、ガードインタバル除去回路およびフーリエ変換回路からなることを特徴とする請求項８に記載の無線通信システム。
【請求項１１】
前記受信回路は、前記周波数デマッパ回路と前記受信フィルタ処理回路との間、および前記周波数デマッパ回路と前記並直列変換回路との間に挿入された周波数領域等化回路を含み、
前記伝搬路推定評価回路は、推定評価結果に基づいて前記周波数領域等化回路の係数を制御することを特徴とする請求項８から請求項１０までのいずれか１項に記載の無線通信システム。
【請求項１２】
前記送信回路は、前記周波数マッパ回路と前記逆フーリエ変換回路との間に挿入された周波数領域等化回路を含み、
前記切替制御回路は、前記伝搬路推定評価回路からの推定評価結果に基づいて、前記周波数領域等化回路の係数を制御することを特徴とする請求項８から請求項１０までのいずれか１項に記載の無線通信システム。
【請求項１３】
前記送信回路および前記受信回路の少なくとも一方は、周波数領域等化回路を含み、
前記伝搬路推定評価回路は、推定評価結果に基づいて前記周波数領域等化回路の係数を制御することを特徴とする請求項１から請求項７までのいずれか１項に記載の無線通信システム。
【請求項１４】
前記伝搬路推定評価回路において、前記複数の無線モードを切替えるための基準値は、あらかじめ設定されており、
前記伝搬路推定評価回路は、周波数帯域ごとの評価パラメータと前記基準値との比較結果に基づいて、前記推定評価結果を求め、
前記切替制御回路は、前記推定評価結果に基づいて、前記送信装置と前記受信装置との間で無線通信する際の無線モードを切替えることを特徴とする請求項１から請求項１３までのいずれか１項に記載の無線通信システム。
【請求項１５】
前記伝搬路推定評価回路は、
前記複数の無線モードを切替えるための基準となる前記評価パラメータとして、伝搬路の受信電力を用い、
前記伝搬路推定評価回路で検出された前記受信電力の測定結果と前記基準値とを比較して、前記無線通信する際の無線モードを切替えるための前記推定評価結果を求めることを特徴とする請求項１４に記載の無線通信システム。
【請求項１６】
前記伝搬路推定評価回路は、
前記複数の無線モードを切替えるための基準となる前記評価パラメータとして、伝搬路での信号対雑音比を用い、
前記伝搬路推定評価回路で検出された前記信号対雑音比の測定結果と前記基準値とを比較して、前記無線通信する際の無線モードを切替えるための前記推定評価結果を求めることを特徴とする請求項１４に記載の無線通信システム。
【請求項１７】
前記伝搬路推定評価回路は、
前記複数の無線モードを切替えるための基準となる前記評価パラメータとして、伝搬路での受信誤り率を用い、
前記伝搬路推定評価回路で検出された前記受信誤り率の測定結果と前記基準値とを比較して、前記無線通信する際の無線モードを切替えるための前記推定評価結果を求めることを特徴とする請求項１４に記載の無線通信システム。
【請求項１８】
前記伝搬路推定評価回路は、
前記複数の無線モードを切替えるための基準となる前記評価パラメータとして、伝搬路での前記送信装置と前記受信装置との間の距離を用い、
前記伝搬路推定評価回路で検出された前記距離と前記基準値とを比較して、前記無線通信する際の無線モードを切替えるための前記推定評価結果を求めることを特徴とする請求項１４に記載の無線通信システム。
【請求項１９】
前記伝搬路推定評価回路は、
前記複数の無線モードを切替えるための基準となる前記評価パラメータとして、伝搬路での前記送信装置と前記受信装置との間の伝搬遅延時間を用い、
前記伝搬路推定評価回路で検出された前記伝搬遅延時間と前記基準値とを比較して、前記無線通信する際の無線モードを切替えるための前記推定評価結果を求めることを特徴とする請求項１４に記載の無線通信システム。
【請求項２０】
前記データ系列の送信信号は、複数系列からなり、
前記送信回路は、前記データ変調回路の入力側に挿入された信号合成回路を含み、
前記信号合成回路は、前記複数系列のデータ系列の送信信号を合成して、前記データ変調回路に入力することを特徴とする請求項１から請求項１９までのいずれか１項に記載の無線通信システム。
【請求項２１】
請求項１から請求項２０までのいずれか１項に記載の無線通信システムに用いられる送信装置。
【請求項２２】
請求項１から請求項２０までのいずれか１項に記載の無線通信システムに用いられる受信装置。
【発明の詳細な説明】
【技術分野】
【０００１】
この発明は、複数の無線モードを用いて通信を行う無線通信システムならびに送信装置および受信装置に関し、特に、複数の無線モードを切替えて送信する機能を有する送信装置と、複数の無線モードを同時に受信する機能を有する受信装置と、を用いた無線通信システムならびに送信装置および受信装置に関するものである。
【背景技術】
【０００２】
従来から、携帯電話端末と基地局との間の無線通信システムが提案されており、複数の無線モードを用いて通信を行う第１構成例として、たとえば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）モードおよびＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）モードなどのマルチモード通信機能を有する無線通信システムがすでに実用化されている。
【０００３】
また、従来の無線通信システムの第２構成例として、無線通信モードとしてシングルキャリア（以下、「ＳＣ」という）伝送と、マルチキャリア（以下、「ＭＣ」という）伝送とを用いた無線通信システムも提案されている（たとえば、特許文献１参照）。
この場合、ＳＣ伝送を行うＳＣ無線端末およびＭＣ伝送を行うＭＣ無線端末と、これら２つ（ＳＣ伝送、ＭＣ伝送）の異なる無線通信モードで同時に通信することが可能な基地局との間で通信を行うように構成されている
【０００４】
図２５は上記第１構成例による無線通信システムを示すブロック図であり、代表的にアップリンク（携帯電話端末２０６が送信側、各基地局２０１、２０２が受信側）の場合を示している。
図２５において、複数の携帯電話端末２０６は、それぞれ、２個（ＧＳＭおよびＷＣＤＭＡ）の無線モードに対応するマルチモード送信装置２０５を備えており、マルチモード送信装置２０５の無線モードを切替えることにより、ＧＳＭ基地局２０１またはＷＣＤＭＡ基地局２０２との間で通信可能な構成を有している。
【０００５】
ＧＳＭ基地局２０１は、ＧＳＭ受信装置２０３を備えており、ＧＳＭ無線モードのみの受信が可能である。また、ＷＣＤＭＡ基地局２０２は、ＷＣＤＭＡ受信装置２０４を備えており、ＷＣＤＭＡ無線モードのみの受信が可能である。
【０００６】
つまり、各基地局２０１、２０２においては、それぞれ単一の無線モードのみで通信が行われるので、携帯電話端末２０６は、携帯電話端末２０６が置かれた伝搬路の状況に応じて、各基地局２０１、２０２との間で適応的に最適な無線モードで通信を行うことはできない。
【０００７】
一方、図２６は上記特許文献１に記載の無線通信システム（第２構成例）を示すブロック図であり、代表的にアップリンク（各無線端末２０９、２１０が送信側、基地局２０７が受信側）の場合を示している。
図２６において、基地局２０７は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）受信装置２０８を備えており、ＯＦＤＭ受信装置２０８を用いて、２つ（ＳＣ伝送、ＭＣ伝送）の無線モードの信号を同時に受信可能な構成を有している。
【０００８】
また、複数の無線端末としては、ＳＣ伝送モードによる送信のみが可能なＳＣ送信装置２１１を備えたＳＣ無線端末２０９と、ＭＣ伝送モードによる送信のみが可能なＭＣ送信装置２１２を備えたＭＣ無線端末２１０と、の２種類が存在する。
【０００９】
図２６の場合、各無線端末２０９、２１０は、ＳＣ伝送モードまたはＭＣ伝送モードのいずれか一方の無線モードのみで通信可能なので、各無線端末２０９、２１０が置かれた伝搬路の状況に応じて、基地局２０７との間で適応的に最適な無線モードに切替えて通信を行うことはできない。
【先行技術文献】
【特許文献】
【００１０】
【特許文献１】特開２００８−４２４９２号公報
【発明の概要】
【発明が解決しようとする課題】
【００１１】
従来の無線通信システムは、第１構成例および第２構成例のいずれの場合も、無線端末と基地局との間で、伝搬路の状況に応じて適応的に最適な無線モードで通信を行うことができないという課題があった。
【００１２】
この発明は、上記のような課題を解決するためになされたものであり、伝搬路の状況に応じて適応的に最適な無線モードで通信することのできる無線通信システムならびに送信装置および受信装置を得ることを目的とする。
【課題を解決するための手段】
【００１３】
この発明に係る無線通信システムは、複数の無線モードを切替えて送信信号を送出する機能を有する送信装置と、複数の無線モードの送信信号を同時に受信する機能を有する受信装置とにより構成された無線通信システムであって、送信装置は、送信信号を送出する送信回路と、複数の無線モードを切替える切替制御回路とを備え、送信回路は、データ系列の送信信号をシンボル系列の送信信号に変換するデータ変調回路と、複数の無線モードの各々に対応して変調処理を行う複数の変調回路と、複数の無線モードの各々に対応して複数の変調回路のいずれかを選択するスイッチ回路とを含み、受信装置は、送信装置からの送信信号を受信して受信信号を取得する受信回路と、複数の無線モードの各々に対して受信時の伝搬路を推定評価する伝搬路推定評価回路とを備え、受信回路は、複数の無線モードに対応して復調処理を行う複数の復調回路と、復調されたシンボル系列の受信信号をデータ系列の受信信号に変換する複数のデータ復調回路とを含み、切替制御回路は、伝搬路推定評価回路からの推定評価結果に基づいてスイッチ回路を切替制御することにより、送信装置から送出される送信信号の無線モードを切替えるものである。
【発明の効果】
【００１４】
この発明に係る無線通信システムによれば、複数の無線モードを切替えて送信する機能を有する送信装置と、複数の無線モードを同時に受信する機能を有する受信装置とを備えることにより、伝搬路の状況に応じて適応的に最適な無線モードで通信することができる。
【図面の簡単な説明】
【００１５】
【図１】この発明の実施の形態１に係る無線通信システムを示すブロック図である。
【図２】この発明の実施の形態１による送信装置および受信装置を具体的に示すブロック図である。
【図３】この発明の実施の形態２による送信装置を示すブロック図である。
【図４】この発明の実施の形態２による受信装置を示すブロック図である。
【図５】この発明の実施の形態３による送信装置を示すブロック図である。
【図６】この発明の実施の形態３による受信装置を示すブロック図である。
【図７】この発明の実施の形態４による送信装置を示すブロック図である。
【図８】この発明の実施の形態４による受信装置を示すブロック図である。
【図９】この発明の実施の形態５による送信装置を示すブロック図である。
【図１０】この発明の実施の形態６による送信装置を示すブロック図である。
【図１１】この発明の実施の形態６による受信装置を示すブロック図である。
【図１２】この発明の実施の形態７による送信装置を示すブロック図である。
【図１３】この発明の実施の形態８による送信装置を示すブロック図である。
【図１４】この発明の実施の形態８による受信装置を示すブロック図である。
【図１５】この発明の実施の形態９による送信装置を示すブロック図である。
【図１６】この発明の実施の形態９による受信装置を示すブロック図である。
【図１７】この発明の実施の形態１０による送信装置を示すブロック図である。
【図１８】この発明の実施の形態１１による受信装置を示すブロック図である。
【図１９】この発明の実施の形態１１による受信装置の他の構成例を示すブロック図である。
【図２０】この発明の実施の形態１２による送信装置を示すブロック図である。
【図２１】この発明の実施の形態１３による伝搬路推定評価回路の制御情報導出動作を示すフローチャートである。
【図２２】この発明の実施の形態１４による送信装置を示すブロック図である。
【図２３】この発明の実施の形態１５に係る無線通信システムを示すブロック図である。
【図２４】この発明の実施の形態３、８、９、１３による効果を示す説明図である。
【図２５】従来の無線通信システムの第１構成例を示すブロック図である。
【図２６】従来の無線通信システムの第２構成例を示すブロック図である。
【発明を実施するための形態】
【００１６】
実施の形態１．
以下、図面を参照しながら、この発明の実施の形態１について詳細に説明する。
図１はこの発明の実施の形態１に係る無線通信システムの全体構成を示すブロック図である。
図１において、この発明が適用される無線通信システムは、複数の無線端末１００と、各無線端末１００との間で通信を行う１つの基地局１０１とにより構成されている。
【００１７】
各無線端末１００は、それぞれ、複数の無線モードを切替えて送信する機能を有する送信装置１を備えている。
また、基地局１０１は、複数の無線モードの信号を同時に受信して復調する機能を有する受信装置２を備えている。
【００１８】
図２は図１内の送信装置１および受信装置２の具体的構成例を示すブロック図である。
図２において、送信装置１は、入力された送信信号１０２を変調してアンテナから送信する送信回路５と、受信装置２からの制御情報１０６に基づき送信回路５の無線モードを切替える切替制御回路６（ＣＮＴ）とにより構成されている。
【００１９】
送信回路５は、データ系列の送信信号１０２をシンボル系列の送信信号１０３に変換するデータ変調回路３９（ＤＡＴＡ  ＭＯＤ）と、各無線モードに対応して変調処理を行う複数の変調回路３ａ〜３ｋ（ＭＯＤ１〜ＭＯＤｋ）と、各無線モードに対応して変調回路３ａ〜３ｋの切替を行うスイッチ回路４（ＳＷ）と備えている。
切替制御回路６は、送信回路５内のデータ変調回路３９およびスイッチ回路４を切替制御する。
【００２０】
受信装置２は、送信回路５からの各無線モードに対応した送信信号を受信する受信回路８と、受信信号に基づき各無線モードに対する伝搬路を推定評価して制御情報１０６を生成する伝搬路推定評価回路９（ＥＳＴ）とにより構成されている。
【００２１】
受信回路８は、各無線モードに対応して復調処理を行う複数の復調回路７ａ〜７ｋ（Ｄｅ  ＭＯＤ１〜Ｄｅ  ＭＯＤｋ）と、各復調回路７ａ〜７ｋで復調されたシンボル系列の受信信号１０４ａ〜１０４ｋをデータ系列の受信信号１０５ａ〜１０５ｋに変換する複数のデータ復調回路４０ａ〜４０ｋ（ＤＡＴＡ  ＤＭＯＤ）とを備えている。
伝搬路推定評価回路９は、各復調回路７ａ〜７ｋからの受信信号１０４ａ〜１０４ｋに基づき、各無線モードの伝搬路を推定評価する。
【００２２】
次に、図１および図２を参照しながら、この発明の実施の形態１による動作について説明する。
なお、図２においては、複数の無線モード（ａ、・・・、ｋ）を一般的に示しており、具体的なモードについては特定しないで説明する。
【００２３】
図１および図２において、受信装置２は、複数の送信装置１からの複数の無線モードの送信信号を受信し、伝搬路推定評価回路９により、各無線端末１００と基地局１０１との間の伝搬路の特性を推定評価する。
伝搬路推定評価回路９による推定評価結果は、制御情報１０６として、基地局１０１から各無線端末１００に通信されて報知される。
【００２４】
無線端末１００内の送信装置１においては、基地局１０１から通知された制御情報１０６に基づき、切替制御回路６を介して、送信回路５内のデータ変調回路３９およびスイッチ回路４が切替制御される。
【００２５】
以上のように、この発明の実施の形態１（図１、図２）に係る無線通信システムは、複数の無線モードを切替えて送信信号を送出する機能を有する送信装置１と、複数の無線モードの送信信号を同時に受信する機能を有する受信装置２とにより構成されている。
【００２６】
送信装置１は、送信信号を送出する送信回路５と、複数の無線モードを切替える切替制御回路６とを備えている。
送信回路５は、データ系列の送信信号１０２をシンボル系列の送信信号１０３に変換するデータ変調回路３９と、複数の無線モードの各々に対応して変調処理を行う複数の変調回路３ａ〜３ｋと、複数の無線モードの各々に対応して複数の変調回路３ａ〜３ｋのいずれかを選択するスイッチ回路４とを備えている。
【００２７】
受信装置２は、送信装置１からの送信信号を受信して受信信号１０５ａ〜１０５ｋを取得する受信回路８と、複数の無線モードの各々に対して受信時の伝搬路を推定評価する伝搬路推定評価回路９とを備えている。
受信回路８は、複数の無線モードに対応して復調処理を行う複数の復調回路７ａ〜７ｋと、復調されたシンボル系列の受信信号１０４ａ〜１０４ｋをデータ系列の受信信号１０５ａ〜１０５ｋに変換する複数のデータ復調回路４０ａ〜４０ｋとを備えている。
【００２８】
切替制御回路６は、伝搬路推定評価回路９からの制御情報１０６（推定評価結果）に基づいてスイッチ回路４を切替制御することにより、送信装置１から送出される送信信号の無線モードを切替える。
【００２９】
これにより、送信装置１から送出される信号の無線モードは、伝搬路の特性に応じて適応的に切替えられるので、送信装置１と受信装置２との間で、伝搬路の状況に応じて適応的に最適な無線モードで通信を行うことができる。
【００３０】
実施の形態２．
上記実施の形態１（図２）では、各変調回路３ａ〜３ｋと各復調回路７ａ〜７ｋとの間で直接通信したが、図３および図４のように、各変調回路３ａ〜３ｋの出力側に個別の周波数変換回路１１ａ〜１１ｋを設け、各復調回路７ａ〜７ｋの入力側に個別の周波数変換回路１２ａ〜１２ｋを設け、周波数変換回路１１ａ〜１１ｋ、１２ａ〜１２ｋを介して通信してもよい。
【００３１】
図３はこの発明の実施の形態２に係る無線通信システムの送信装置１の具体的構成例を示すブロック図であり、図４はこの発明の実施の形態２に係る無線通信システムの受信装置２の具体的構成例を示すブロック図である。
図３、図４において、前述（図２参照）と同様のものについては、前述と同一符号を付して詳述を省略する。また、この発明の実施の形態２に係る無線通信システムの全体構成は、図１に示した通りである。
【００３２】
この場合、送信装置１および受信装置２は、周波数変換回路１１ａ〜１１ｋ、１２ａ〜１２ｋにより、複数の無線モードに対応して、異なるＲＦ周波数帯域を割り当てるように構成されている。
【００３３】
図３において、送信装置１は、送信回路５と切替制御回路６とにより構成されており、送信回路５は、前述と同様のデータ変調回路３９（ＤＡＴＡ  ＭＯＤ）、変調回路３ａ〜３ｋ（ＭＯＤ１〜ＭＯＤｋ）およびスイッチ回路４（ＳＷ）に加えて、変調回路３ａ〜３ｋに個別接続された複数の周波数変換回路１１ａ〜１１ｋ（ＴｘＲＦ１〜ＴｘＲＦｋ）を備えている。
各周波数変換回路１１ａ〜１１ｋは、変調回路３ａ〜３ｋによって変調された各信号を異なる周波数帯域のＲＦ信号に変換する。
【００３４】
図４において、受信装置２は、受信回路８と伝搬路推定評価回路９とにより構成されており、受信回路８は、前述と同様の復調回路７ａ〜７ｋ（Ｄｅ  ＭＯＤ１〜Ｄｅ  ＭＯＤｋ）およびデータ復調回路４０ａ〜４０ｋ（ＤＡＴＡ  ＤＭＯＤ）に加えて、復調回路７ａ〜７ｋに個別接続された複数の周波数変換回路１２ａ〜１２ｋ（ＲｘＲＦ１〜ＲｘＲＦｋ）を備えている。
各周波数変換回路１２ａ〜１２ｋは、複数の無線モードのＲＦ信号に対応して周波数を変換し、各復調回路７ａ〜７ｋは、周波数変換された各受信信号の復調処理を行う。
【００３５】
図３、図４において、受信装置２の伝搬路推定評価回路９による推定評価結果は、制御情報１０６として、送信装置１の切替制御回路６に報知される。
したがって、前述と同様に、送信装置１においては、制御情報１０６に基づき、切替制御回路６を介してデータ変調回路３９およびスイッチ回路４が切替制御され、送信装置１から送出される信号の無線モードを適応的に切替えることができる。
【００３６】
以上のように、この発明の実施の形態２（図３、図４）による送信装置１および受信装置２は、複数の無線モードに対応して異なるＲＦ周波数帯域を割り当てる構成からなり、送信回路５は、複数の変調回路３ａ〜３ｋによって変調された各送信信号を異なる周波数帯域のＲＦ信号に変換する複数の周波数変換回路１１ａ〜１１ｋを備えている。
【００３７】
また、受信回路８は、複数の無線モードのＲＦ信号に対応して周波数を変換する複数の周波数変換回路１２ａ〜１２ｋを備えており、複数のデータ復調回路４０ａ〜４０ｋは、周波数変換された受信信号１０４ａ〜１０４ｋの復調処理を行う。
これにより、無線モードに応じて異なるＲＦ周波数帯域を割り当てる無線通信システムにおいても、前述の実施の形態１と同様の効果を奏する。
【００３８】
実施の形態３．
上記実施の形態１、２（図２〜図４）では、送信回路５および受信回路８において、一般的に表記された変調回路３ａ〜３ｋおよび復調回路７ａ〜７ｋを用い、具体的な無線通信モードについて言及しなかったが、図５および図６のように、送信回路５においてシングルキャリア（ＳＣ）伝送変調回路１４およびマルチキャリア（ＭＣ）伝送変調回路１５を用い、受信回路８においてシングルキャリア（ＳＣ）伝送復調回路１６およびマルチキャリア（ＭＣ）伝送復調回路１７を用いてもよい。
【００３９】
図５はこの発明の実施の形態３による送信装置１の具体的構成例を示すブロック図であり、図６はこの発明の実施の形態３による受信装置２の具体的構成例を示すブロック図である。
図５、図６において、前述（図２〜図４参照）と同様のものについては、前述と同一符号を付して詳述を省略する。また、この発明の実施の形態３に係る無線通信システムの全体構成は、図１に示した通りである。
【００４０】
この場合、送信装置１および受信装置２は、送信回路５内のＳＣ伝送変調回路１４（ＳＭＯＤ）およびＭＣ伝送変調回路１５（ＭＭＯＤ）と、受信回路８内のＳＣ伝送復調回路１６（ＳＤｅ  ＭＯＤ）およびＭＣ伝送復調回路１７（ＭＤｅ  ＭＯＤ）と、を備えることにより、無線モードに対応して、２つ（ＳＣ伝送、ＭＣ伝送）の異なる伝送モードを割り当てるように構成されている。
【００４１】
図５において、送信装置１は、送信回路５と切替制御回路６とにより構成されており、送信回路５は、前述と同様のデータ変調回路３９と、２つ（ＳＣ伝送、ＭＣ伝送）の無線モードに対応して切替を行うスイッチ回路４と、２つの無線モードに対応するＳＣ伝送変調回路１４およびＭＣ伝送変調回路１５とを備えている。
【００４２】
すなわち、送信回路５は、前述（図２）の変調回路３ａ〜３ｋとして、ＳＣ伝送変調回路１４およびＭＣ伝送変調回路１５を備えている。
切替制御回路６は、制御情報１０６に基づき、データ変調回路３９およびスイッチ回路４を、２つの無線モードに切替える。
【００４３】
また、図６において、受信装置２は、受信回路８と伝搬路推定評価回路９とにより構成されており、受信回路８は、２つ（ＳＣ伝送、ＭＣ伝送）の無線モードに対応したＳＣ伝送復調回路１６およびＭＣ伝送復調回路１７と、復調されたシンボル系列の受信信号１０４ａ、１０４ｂをデータ系列の受信信号１０５ａ、１０５ｂに変換する２つのデータ復調回路４０ａ、４０ｂを備えている。
【００４４】
すなわち、受信回路８は、前述（図２）の復調回路７ａ〜７ｋとして、ＳＣ伝送復調回路１６およびＭＣ伝送復調回路１７を備えている。
伝搬路推定評価回路９は、２つの無線モードに対して伝搬路を推定評価する。
【００４５】
受信装置２の伝搬路推定評価回路９による推定評価結果は、制御情報１０６として切替制御回路６に報知される。
送信装置１においては、前述と同様に、制御情報１０６に基づき、切替制御回路６を介して、データ変調回路３９およびスイッチ回路４を切替制御することにより、送信装置１から送出される信号の無線モードを適応的に切替えることができる。
【００４６】
以上のように、この発明の実施の形態３（図５、図６）による送信装置１および受信装置２は、複数の無線モードとして、ＳＣ伝送とＭＣ伝送との２つの異なる伝送モードを割り当てる構成からなり、送信回路５は、複数の変調回路として、ＳＣ伝送に対応したＳＣ伝送変調回路１４と、ＭＣ伝送に対応したＭＣ伝送変調回路１５とを備えている。
【００４７】
また、受信回路８は、ＳＣ伝送に対応したＳＣ伝送復調回路１６と、ＭＣ伝送に対応したＭＣ伝送復調回路１７とを備えている。
これにより、ＳＣ伝送およびＭＣ伝送の２つの無線モードが適用される無線通信システムにおいても、前述の実施の形態１と同様の効果を奏する。
【００４８】
実施の形態４．
上記実施の形態１〜３（図２〜図６）では、送信回路５において変調回路３ａ〜３ｋ（または、ＳＣ伝送変調回路１４、ＭＣ伝送変調回路１５）を用い、受信回路８において復調回路７ａ〜７ｋ（または、ＳＣ伝送復調回路１６、ＭＣ伝送復調回路１７）を用いたが、図７および図８のように、送信回路５および受信回路８において、周波数変換回路１１ａ〜１１ｋ、１２ａ〜１２ｋとともに、フーリエ変換回路１９および逆フーリエ変換回路２２を用いてもよい。
【００４９】
図７はこの発明の実施の形態４による送信装置１の具体的構成例を示すブロック図であり、図８はこの発明の実施の形態４による受信装置２の具体的構成例を示すブロック図である。
図７、図８において、前述（図３、図４参照）と同様のものについては、前述と同一符号を付して詳述を省略する。また、この発明の実施の形態４に係る無線通信システムの全体構成は、図１に示した通りである。
【００５０】
この場合、送信装置１および受信装置２は、ＳＣ伝送モードであって、かつ複数の無線モードに対応して、異なるＲＦ周波数帯域を割り当てるように構成されている。
図７において、送信装置１は、送信回路５および切替制御回路６により構成されており、送信回路５は、データ変調回路３９（ＤＡＴＡ  ＭＯＤ）と、シンボル系列の送信信号１０３を周波数成分に変換するフーリエ変換回路１９（ＦＦＴ）とを備えている。
【００５１】
また、送信回路５は、フーリエ変換回路１９からの周波数成分にフィルタ係数を乗積する送信フィルタ処理回路２０（ＦＩＬ）と、送信フィルタ処理回路２０の出力信号に対し複数の無線モードに対応した周波数配置を与える周波数マッパ回路２１（ＭＡＰ）と、周波数マッパ回路２１により配置された周波数領域成分の信号を、複数の無線モードに対応した時間領域成分の信号に変換する逆フーリエ変換回路２２（ＩＦＦＴ）とを備えている。
【００５２】
さらに、送信回路５は、逆フーリエ変換回路２２からの時間領域成分の信号にガードインタバルを付加するガードインタバル回路２３（＋ＧＩ）と、ガードインタバルが付加された時間領域成分のディジタル信号をアナログ信号に変換するＤＡコンバータ回路２４（ＤＡＣ）と、ＤＡコンバータ回路２４からのアナログ信号を複数の無線モードに対応して異なる周波数帯域のＲＦ信号に変換する複数の周波数変換回路１１ａ〜１１ｋ（ＴｘＲＦ１〜ＴｘＲＦｋ）と、複数の無線モードに対応して周波数変換回路１１ａ〜１１ｋのいずれかを選択するスイッチ回路４（ＳＷ）とを備えている。
【００５３】
図８において、受信装置２は、受信回路８および伝搬路推定評価回路９により構成されており、受信回路８は、複数の無線モードのＲＦ信号に対応して周波数を変換する複数の周波数変換回路１２ａ〜１２ｋ（ＲｘＲＦ１〜ＲｘＲＦｋ）と、周波数変換されたアナログ信号をディジタル信号に変換する複数のＡＤコンバータ回路２６（ＡＤＣ）と、ＡＤコンバータ回路２６からのディジタル信号からガードインタバルを除去する複数のガードインタバル除去回路２７（−ＧＩ）とを備えている。
【００５４】
また、受信回路８は、ガードインタバルが除去された時間領域成分の信号を周波数領域成分の信号に変換する複数のフーリエ変換回路１９（ＦＦＴ）と、フーリエ変換回路１９からの周波数領域成分の信号に対し周波数配置を変更する周波数デマッパ回路２８（Ｄｅ  ＭＡＰ）と、周波数デマッパ回路２８の出力信号にフィルタ係数を乗積する受信フィルタ処理回路２９（ＦＩＬ）と、受信フィルタ処理回路２９からの周波数領域成分の信号を、複数の無線モードに対応した時間領域成分の信号に変換する複数の逆フーリエ変換回路２２（ＩＦＦＴ）とを備えている。
【００５５】
さらに、受信回路８は、複数の逆フーリエ変換回路２２からのシンボル系列の受信信号１０４ａ〜１０４ｋを、データ系列の受信信号１０５ａ〜１０５ｋに変換する複数のデータ復調回路４０ａ〜４０ｋ（ＤＡＴＡ  ＤＭＯＤ）を備えている。
【００５６】
切替制御回路６は、伝搬路推定評価回路９からの制御情報１０６（推定評価結果）に基づいて、送信回路５内のデータ変調回路３９、周波数マッパ回路２１およびスイッチ回路４を切替制御することにより、送信装置１から送出される送信信号の無線モードを適応的に切替えることができる。
【００５７】
これにより、ＳＣ伝送モードであって、かつ複数の無線モードに対応して、異なるＲＦ周波数帯域を割り当てるように構成されたこの発明の実施の形態４（図７、図８）に係る無線通信システムにおいても、前述の実施の形態１と同様の効果を奏する。
【００５８】
実施の形態５．
上記実施の形態４（図７、図８）では、送信回路５においてスイッチ回路４を用いたが、図９のように、複数系列の逆フーリエ変換回路２２（ＩＦＦＴ）、ガードインタバル回路２３（＋ＧＩ）およびＤＡコンバータ回路２４（ＤＡＣ）を並設して、スイッチ回路４を不要としてもよい。
【００５９】
図９はこの発明の実施の形態５による送信装置１の具体的構成例を示すブロック図であり、前述（図７参照）と同様のものについては、前述と同一符号を付して詳述を省略する。また、この発明の実施の形態５に係る無線通信システムの全体構成は図１に示した通りであり、受信装置２の構成は図８に示した通りである。
【００６０】
この場合、送信装置１および受信装置２は、前述（図７、図８）と同様に、ＳＣ伝送モードであって、かつ複数の無線モードに対応して、異なるＲＦ周波数帯域を割り当てるように構成されている。
【００６１】
図９において、送信回路５は、前述のデータ変調回路３９（ＤＡＴＡ  ＭＯＤ）、フーリエ変換回路１９（ＦＦＴ）、送信フィルタ処理回路２０（ＦＩＬ）および周波数マッパ回路２１（ＭＡＰ）を備えるとともに、周波数マッパ回路２１により配置された周波数領域成分の信号を、複数の無線モードに対応した時間領域成分の信号に変換する複数の逆フーリエ変換回路２２（ＩＦＦＴ）を備えている。
【００６２】
また、送信回路５は、複数の逆フーリエ変換回路２２からの時間領域成分の信号の各々にガードインタバルを付加する複数のガードインタバル回路２３（＋ＧＩ）と、ガードインタバルが付加された複数の時間領域成分のディジタル信号の各々をアナログ信号に変換する複数のＤＡコンバータ回路２４（ＤＡＣ）と、複数のＤＡコンバータ回路２４からのアナログ信号を、複数の無線モードに対応して異なる周波数帯域のＲＦ信号に変換する複数の周波数変換回路１１ａ〜１１ｋ（ＴｘＲＦ１〜ＴｘＲＦｋ）とを備えている。
【００６３】
この発明の実施の形態５（図９）による送信装置１においても、切替制御回路６は、受信装置２（図８）の伝搬路推定評価回路９からの制御情報１０６（推定評価結果）に基づいて、データ変調回路３９および周波数マッパ回路２１を切替制御することができる。
したがって、前述と同様に、送信装置１から送出される信号の無線モードを適応的に切替えることができる。
【００６４】
実施の形態６．
前述の実施の形態４（図７、図８）では、送信回路５においてフーリエ変換回路１９および送信フィルタ処理回路２０を用い、受信回路８において受信フィルタ処理回路２９および逆フーリエ変換回路２２を用いたが、図１０および図１１のように、送信回路５において直並列変換回路３０（Ｓ／Ｐ）を用い、受信回路８において並直列変換回路３１（Ｐ／Ｓ）を用いてもよい。
【００６５】
図１０はこの発明の実施の形態６による送信装置１の具体的構成例を示すブロック図であり、図１１はこの発明の実施の形態６による受信装置２の具体的構成例を示すブロック図である。
各図において、前述（図７、図８参照）と同様のものについては、前述と同一符号を付して詳述を省略する。また、この発明の実施の形態５に係る無線通信システムの全体構成は図１に示した通りである。
【００６６】
この場合、送信装置１および受信装置２は、ＭＣ伝送モードであって、かつ、複数の無線モードに対応して異なるＲＦ周波数帯域を割り当てるように構成されている。
図１０において、送信回路５は、前述（図７）のフーリエ変換回路１９および送信フィルタ処理回路２０に代えて、直並列変換回路３０（Ｓ／Ｐ）を備えている。
【００６７】
直並列変換回路３０は、データ変調回路３９からのシンボル系列の送信信号１０３を並列に並び替える。
周波数マッパ回路２１は、直並列変換回路３０の出力信号に対し複数の無線モードに対応した周波数配置を与える。
【００６８】
また、図１１において、受信回路８は、前述（図８）の受信フィルタ処理回路２９および複数の逆フーリエ変換回路２２に代えて、複数の並直列変換回路３１（Ｐ／Ｓ）を備えている。
並直列変換回路３１は、周波数デマッパ回路２８からの並列配置された信号を直列に並び替える。
【００６９】
受信回路８において、複数のデータ復調回路４０ａ〜４０ｋは、複数の並直列変換回路３１からのシンボル系列の受信信号１０４ａ〜１０４ｋをデータ系列の受信信号１０５ａ〜１０５ｋに変換する。
【００７０】
この発明の実施の形態６（図１０、図１１）に係る無線通信システムにおいても、送信装置１の切替制御回路６は、受信装置２の伝搬路推定評価回路９からの制御情報１０６（推定評価結果）に基づいて、データ変調回路３９、周波数マッパ回路２１およびスイッチ回路４を切替制御することができる。
したがって、前述と同様に、送信装置１から送出される信号の無線モードを適応的に切替えることができる。
【００７１】
実施の形態７．
上記実施の形態６（図１０）では、送信回路５においてスイッチ回路４を用いたが、図１２のように、複数系列の逆フーリエ変換回路２２（ＩＦＦＴ）、ガードインタバル回路２３（＋ＧＩ）およびＤＡコンバータ回路２４（ＤＡＣ）を並設して、スイッチ回路４を不要としてもよい。
【００７２】
図１２はこの発明の実施の形態７による送信装置１の具体的構成例を示すブロック図であり、前述（図１０参照）と同様のものについては、前述と同一符号を付して詳述を省略する。また、この発明の実施の形態７に係る無線通信システムの全体構成は図１に示した通りであり、受信装置２の構成は図１１に示した通りである。
この場合、送信装置１および受信装置２は、前述と同様に、ＭＣ伝送モードであって、かつ、複数の無線モードに対応して異なるＲＦ周波数帯域を割り当てるように構成されている。
【００７３】
図１２において、送信回路５は、前述のデータ変調回路３９（ＤＡＴＡ  ＭＯＤ）、直並列変換回路３０（Ｓ／Ｐ）、周波数マッパ回路２１（ＭＡＰ）および複数の周波数変換回路１１ａ〜１１ｋ（ＴｘＲＦ１〜ＴｘＲＦｋ）を備えるとともに、複数の逆フーリエ変換回路２２（ＩＦＦＴ）と、複数のガードインタバル回路２３（＋ＧＩ）と、複数のＤＡコンバータ回路２４（ＤＡＣ）とを備えている。
【００７４】
この発明の実施の形態７（図１２）による送信装置１においても、切替制御回路６は、受信装置２（図１１）の伝搬路推定評価回路９からの制御情報１０６（推定評価結果）に基づいて、データ変調回路３９および周波数マッパ回路２１を切替制御することができる。
したがって、前述と同様に、送信装置１から送出される信号の無線モードを適応的に切替えることができる。
【００７５】
実施の形態８．
上記実施の形態４〜７（図７〜図１２）では、ＳＣ伝送モードまたはＭＣ伝送モードであって、かつ複数の無線モードに対応して異なるＲＦ周波数帯域を割り当てるように、送信装置１および受信装置２を構成したが、図１３および図１４のように、無線モードに対応してＳＣ伝送およびＭＣ伝送のいずれかの伝送モードを割り当てるように、送信装置１および受信装置２を構成してもよい。
【００７６】
図１３はこの発明の実施の形態８による送信装置１の具体的構成例を示すブロック図であり、図１４はこの発明の実施の形態８による受信装置２の具体的構成例を示すブロック図である。
図１３、図１４において、前述（図７〜図１２参照）と同様のものについては、前述と同一符号を付して詳述を省略する。また、この発明の実施の形態８に係る無線通信システムの全体構成は、図１に示した通りである。
【００７７】
この場合、送信装置１および受信装置２は、送信回路５内のＳＣ伝送用変調部３２およびＭＣ伝送用変調部３３と、受信回路８内のＳＣ伝送用復調部３４およびＭＣ伝送用復調部３５と、を備えることにより、無線モードに対応して、２つ（ＳＣ伝送、ＭＣ伝送）の異なる伝送モードのいずれかを割り当てるように構成されている。
【００７８】
図１３において、送信回路５は、データ変調回路３９（ＤＡＴＡ  ＭＯＤ）と、ＳＣ伝送用変調部３２と、ＭＣ伝送用変調部３３と、ＳＣ伝送用変調部３２およびＭＣ伝送用変調部３３からの周波数領域成分の信号を時間領域成分の信号に変換する逆フーリエ変換回路２２（ＩＦＦＴ）と、ガードインタバル回路２３（＋ＧＩ）と、ＤＡコンバータ回路２４（ＤＡＣ）と、周波数変換回路１１（ＴｘＲＦ）と、ＳＣ伝送とＭＣ伝送との２つの無線モードに対応して、ＳＣ伝送用変調部３２またはＭＣ伝送用変調部３３を選択するスイッチ回路４とを備えている。
【００７９】
ＳＣ伝送用変調部３２は、シンボル系列の送信信号１０３を周波数領域成分の信号に変換するフーリエ変換回路１９（ＦＦＴ）と、フーリエ変換回路１９からの周波数領域成分の信号にフィルタ係数を乗積する送信フィルタ処理回路２０（ＦＩＬ）と、送信フィルタ処理回路２０の出力信号に対し無線モードに対応した周波数配置を与える周波数マッパ回路２１（ＭＡＰ）とにより構成されている。
【００８０】
ＭＣ伝送用変調部３３は、シンボル系列の送信信号１０３を並列に並び替える直並列変換回路３０（Ｓ／Ｐ）と、直並列変換回路３０の出力信号に対し無線モードに対応した周波数配置を与える周波数マッパ回路２１（ＭＡＰ）とにより構成されている。
【００８１】
図１４において、受信回路８は、周波数変換回路１２（ＲｘＲＦ）と、ＡＤコンバータ回路２６（ＡＤＣ）と、ガードインタバル除去回路２７（−ＧＩ）と、フーリエ変換回路１９（ＦＦＴ）と、ＳＣ伝送用復調部３４と、ＭＣ伝送用復調部３５とを備えている。
【００８２】
ＳＣ伝送用復調部３４は、フーリエ変換回路１９からの周波数領域成分の信号に対し周波数配置を変更する周波数デマッパ回路２８（Ｄｅ  ＭＡＰ）と、周波数デマッパ回路２８からの出力信号にフィルタ係数を乗積する受信フィルタ処理回路２９（ＦＩＬ）と、周波数領域成分の信号を時間領域成分の信号に変換する逆フーリエ変換回路２２（ＩＦＦＴ）と、逆フーリエ変換回路２２からのシンボル系列の受信信号１０４ａをデータ系列の受信信号１０５ａに変換するデータ復調回路４０ａとにより構成されている。
【００８３】
ＭＣ伝送用復調部３５は、フーリエ変換回路１９からの周波数領域成分の信号に対し周波数配置を変更する周波数デマッパ回路２８（Ｄｅ  ＭＡＰ）と、周波数デマッパ回路２８からの並列配置された信号を直列に並び替える並直列変換回路３１（Ｐ／Ｓ）と、並直列変換回路３１からのシンボル系列の受信信号１０４ｂをデータ系列の受信信号１０５ｂに変換するデータ復調回路４０ｂとにより構成されている。
【００８４】
この発明の実施の形態８（図１３、図１４）に係る無線通信システムにおいても、切替制御回路６は、受信装置２（図１１）の伝搬路推定評価回路９からの制御情報１０６（推定評価結果）に基づいて、データ変調回路３９、スイッチ回路４および周波数マッパ回路２１を切替制御することができる。
したがって、前述と同様に、送信装置１から送出される信号の無線モードを適応的に切替えることができる。
【００８５】
実施の形態９．
上記実施の形態８（図１３、図１４）では、無線モードに対応してＳＣ伝送モードまたはＭＣ伝送モードのいずれかの伝送モードを割り当てるように、送信装置１および受信装置２を構成したが、図１５および図１６のように、無線モードに対応してＳＣ伝送およびＭＣ伝送のいずれかの伝送モードを割り当てるとともに、無線モードに対応して異なるＲＦ周波数帯域を割り当てるように、送信装置１および受信装置２を構成してもよい。
【００８６】
図１５はこの発明の実施の形態９による送信装置１の具体的構成例を示すブロック図であり、図１６はこの発明の実施の形態９による受信装置２の具体的構成例を示すブロック図である。
図１５、図１６において、前述（図１３、図１４参照）と同様のものについては、前述と同一符号を付して詳述を省略する。また、この発明の実施の形態９に係る無線通信システムの全体構成は、図１に示した通りである。
【００８７】
この場合、送信装置１および受信装置２は、送信回路５内のスイッチ回路４’および複数の周波数変換回路１１ａ〜１１ｋと、受信回路８内の複数の周波数変換回路１２ａ〜１２ｋ、ＡＤコンバータ回路２６、ガードインタバル除去回路２７およびフーリエ変換回路１９と、を備えることにより、無線モードに対応して、２つ（ＳＣ伝送、ＭＣ伝送）の異なる伝送モードのいずれかを割り当てるとともに、無線モードに対応して異なるＲＦ周波数帯域を割り当てるように構成されている。
【００８８】
図１５において、周波数変換回路は、ＤＡコンバータ回路２４からのアナログ信号を無線モードに対応して異なる周波数帯域のＲＦ信号に変換する複数の周波数変換回路１１ａ〜１１ｋにより構成されている。
また、送信回路５は、ＤＡコンバータ回路２４と複数の周波数変換回路１１ａ〜１１ｋとの間に挿入された別のスイッチ回路４’を備えており、別のスイッチ回路４’は、複数の無線モードに対応して複数の周波数変換回路１１ａ〜１１ｋを選択する。
【００８９】
図１６において、受信回路８内の周波数変換回路、ＡＤコンバータ回路、ガードインタバル除去回路およびフーリエ変換回路は、それぞれ並設された複数の周波数変換回路１２ａ〜１２ｋ（ＲｘＲＦ１〜ＲｘＲＦｋ）、ＡＤコンバータ回路２６（ＡＤＣ）、ガードインタバル除去回路２７（−ＧＩ）およびフーリエ変換回路１９（ＦＦＴ）により構成されている。
【００９０】
送信装置１において、切替制御回路６は、伝搬路推定評価回路９からの制御情報１０６（推定評価結果）に基づいて、周波数マッパ回路２１、スイッチ回路４および別のスイッチ回路４’を切替制御することにより、送信装置１から送出される送信信号の無線モードを切替える。
【００９１】
この発明の実施の形態９（図１５、図１６）に係る無線通信システムにおいても、受信装置２の伝搬路推定評価回路９からの制御情報１０６（推定評価結果）に基づいて、送信装置１の切替制御回路６を介して、データ変調回路３９、周波数マッパ回路２１、スイッチ回路４および別のスイッチ回路４’を切替制御することにより、送信装置１から送出される信号の無線モードを適応的に切替えることができる。
【００９２】
実施の形態１０．
上記実施の形態９（図１５、図１６）では、送信回路５内に別のスイッチ回路４’を設けたが、図１７のように、送信回路５内において、並設された複数系列の逆フーリエ変換回路２２、ガードインタバル回路２３、ＤＡコンバータ回路２４および周波数変換回路１１ａ〜１１ｋを用いることにより、別のスイッチ回路４’を不要としてもよい。
【００９３】
図１７はこの発明の実施の形態１０による送信装置１の具体的構成例を示すブロック図であり、前述（図１５参照）と同様のものについては、前述と同一符号を付して詳述を省略する。また、この発明の実施の形態１０に係る無線通信システムの全体構成は、図１に示した通りであり、受信装置２の構成は、図１６に示した通りである。
この場合、送信装置１および受信装置２は、前述と同様に、無線モードに対応してＳＣ伝送とＭＣ伝送のいずれかの伝送モードを割り当てるとともに、無線モードに対応して異なるＲＦ周波数帯域を割り当てるように構成されている。
【００９４】
図１７において、送信回路５は、データ変調回路３９、スイッチ回路４、ＳＣ伝送用変調部３２およびＭＣ伝送用変調部３３を備えるとともに、それぞれ並設された複数の逆フーリエ変換回路２２、ガードインタバル回路２３、ＤＡコンバータ回路２４および周波数変換回路１１ａ〜１１ｋを備えている。
複数の逆フーリエ変換回路２２は、ＳＣ伝送用変調部３２およびＭＣ伝送用変調部３３内の周波数マッパ回路２１に接続されている。
【００９５】
この発明の実施の形態１０（図１７）による送信装置１においても、切替制御回路６は、受信装置２（図１６）の伝搬路推定評価回路９からの制御情報１０６（推定評価結果）に基づいて、データ変調回路３９、スイッチ回路４および周波数マッパ回路２１を切替制御することができる。
したがって、前述と同様に、送信装置１から送出される信号の無線モードを適応的に切替えることができる。
【００９６】
実施の形態１１．
前述の実施の形態８（図１３、図１４）では、特に言及しなかったが、図１８のように、受信回路８において伝搬路の線形歪みを周波数上で補償するために、周波数デマッパ回路２８と受信フィルタ処理回路２９および並直列変換回路３１との間に周波数領域等化回路３８（ＦＤＥ）を挿入してもよい。
【００９７】
図１８はこの発明の実施の形態１１による受信装置２の具体的構成例を示すブロック図であり、前述（図１４参照）と同様のものについては、前述と同一符号を付して詳述を省略する。また、この発明の実施の形態１１に係る無線通信システムの全体構成は図１に示した通りであり、送信装置１の構成は、図１３に示した通りである。
【００９８】
ここでは、無線モードに対応してＳＣ伝送またはＭＣ伝送のいずれかの伝送モードを割り当てる無線通信システムにおいて、受信装置２内に伝搬路の線形歪みを周波数上で補償する周波数領域等化回路３８を設けた場合の構成例を示している。
【００９９】
図１８において、受信回路８は、前述（図１４）の構成に加えて、周波数デマッパ回路２８と受信フィルタ処理回路２９および並直列変換回路３１との間に挿入された周波数領域等化回路３８を備えている。
周波数領域等化回路３８は、伝搬路推定評価回路９からの制御情報１０６（推定評価結果）に基づいて、伝搬路の線形歪みを周波数上で補償する。
【０１００】
ＳＣ伝送用復調部３４内の受信フィルタ処理回路２９は、周波数領域等化回路３８からの出力信号にフィルタ係数を乗積する。
また、ＭＣ伝送用復調部３５内の並直列変換回路３１は、周波数領域等化回路３８からの並列配置された信号を直列に並び替える。
【０１０１】
この発明の実施の形態１１（図１８）による受信回路８によれば、伝搬路推定評価回路９の制御情報１０６（推定評価結果）に基づいて、送信装置１から送出される信号の無線モードを適応的に切替える効果に加えて、周波数領域等化回路３８の係数を制御することにより、伝搬路の線形歪みを補償することができる。
【０１０２】
なお、図１８においては、前述の実施の形態８（図１４）の受信回路８に周波数領域等化回路３８を追加したが、図１９のように、前述の実施の形態９、１０（図１６）の受信回路８に周波数領域等化回路３８を追加してもよい。
この場合、送信装置１の構成は、図１５または図１７に示した通りである。
【０１０３】
図１９において、送信装置１および受信装置２は、無線モードに対応してＳＣ伝送とＭＣ伝送のいずれかの伝送モードを割り当てるとともに、無線モードに対応して異なるＲＦ周波数帯域を割り当てるように構成されている。
【０１０４】
図１９において、受信装置２内の周波数デマッパ回路２８と受信フィルタ処理回路２９および並直列変換回路３１との間には、前述と同様に、伝搬路の線形歪みを周波数上で補償するための周波数領域等化回路３８が挿入されている。
図１９に示した受信装置２の構成においても、伝搬路推定評価回路９からの制御情報１０６（推定評価結果）に基づいて、伝搬路の線形歪みを補償するとともに、送信装置１から送出される信号の無線モードを適応的に切替えることができる。
【０１０５】
さらに、前述の実施の形態１〜７のいずれの受信回路８においても、図１８、図１９と同様の周波数領域等化回路３８を挿入することにより、同様の作用効果を奏することは言うまでもない。
【０１０６】
実施の形態１２．
上記実施の形態１１（図１８、図１９）では、受信回路８内に周波数領域等化回路３８を追加したが、図２０のように、送信回路５内に周波数領域等化回路３８を追加してもよい。
【０１０７】
図２０はこの発明の実施の形態１２による送信装置１の具体的構成例を示すブロック図であり、前述（図１７参照）と同様のものについては、前述と同一符号を付して詳述を省略する。また、この発明の実施の形態１２に係る無線通信システムの全体構成は図１に示した通りであり、受信装置２の構成は、図１６に示した通りである。
【０１０８】
ここでは、無線モードに対応してＳＣ伝送またはＭＣ伝送のいずれかの伝送モードを割り当てるとともに、無線モードに対応して異なるＲＦ周波数帯域を割り当てる無線通信システムにおいて、送信装置１内に伝搬路の線形歪みを周波数上で補償する周波数領域等化回路３８を設けた場合の構成例を示している。
【０１０９】
図２０において、送信回路５は、前述（図１７）の構成に加えて、周波数マッパ回路２１と逆フーリエ変換回路２２との間に挿入された周波数領域等化回路３８を備えている。
周波数領域等化回路３８は、伝搬路推定評価回路９からの制御情報１０６（推定評価結果）に基づき、切替制御回路６を介して、係数が制御されることにより、伝搬路の線形歪みを周波数上で補償する。
【０１１０】
送信回路５内のＳＣ伝送用変調部３２において、周波数マッパ回路２１と逆フーリエ変換回路２２との間には、周波数領域等化回路３８が挿入されている。
同様に、送信回路５内のＭＣ伝送用変調部３３において、周波数マッパ回路２１と逆フーリエ変換回路２２との間には、周波数領域等化回路３８が挿入されている。
【０１１１】
切替制御回路６は、伝搬路推定評価回路９からの制御情報１０６（推定評価結果）に基づいて、データ変調回路３９、周波数マッパ回路２１およびスイッチ回路４を切替制御するとともに、周波数領域等化回路３８の係数を制御する。
【０１１２】
この発明の実施の形態１２（図２０）による送信装置１においても、伝搬路推定評価回路９からの制御情報１０６（推定評価結果）に基づいて切替制御回路６を動作させることにより、前述の実施の形態１１と同様に、伝搬路の線形歪みを補償するとともに、送信装置１から送出される信号の無線モードを適応的に切替えることができる。
なお、この場合も、前述の実施の形態８〜１０のみならず、前述の実施の形態１〜７のいずれの送信回路５においても、図２０と同様の周波数領域等化回路３８を挿入することにより、同様の作用効果を奏することは言うまでもない。
【０１１３】
実施の形態１３．
上記実施の形態１〜１２では、特に言及しなかったが、伝搬路推定評価回路９における伝搬路推定用の評価処理を、図２１の手順のように実行してもよい。
図２１はこの発明の実施の形態１３に係る無線通信システムの制御動作を示すフローチャートであり、伝搬路の特性を推定評価して、無線モードを適応的に切替えるための制御情報１０６を導出する手順の一例を示している。
【０１１４】
ここでは、複数の送信装置１を対象として、伝搬路の特性を表す評価パラメータを受信電力Ｐとした場合のモード切替制御について説明する。
図２１において、まず、複数の無線モードに対応して異なるＲＦ周波数帯域を割り当てる（周波数帯域を変化させる）構成とするか否かを判定する（ステップＳ０）。
【０１１５】
ステップＳ０において、ＲＦ周波数帯域を変化させない（すなわち、Ｎｏ）と判定されれば、直ちに後述の判定ステップＳ３に移行する。
一方、ステップＳ０において、ＲＦ周波数帯域を変化させる（すなわち、Ｙｅｓ）と判定されれば、無線モードとして周波数帯域を変えたときの伝搬路特性の評価パラメータとして、周波数帯域ごとの複数（ｋ個）の受信電力
【数１】
2012019425.tif 000003
を測定し、測定された受信電力とあらかじめ設定したｋ個の基準値
【数２】
2012019425.tif 000004
とを比較する（ステップＳ１）。
【０１１６】
具体的には、たとえば、
【数３】
2012019425.tif 000005
の各値を比較し、この値が最大となる周波数帯域Ｆｉ（１≦ｉ≦ｋ）を使用する無線モードを、使用モードと決定する（ステップＳ２）。
【０１１７】
次に、決定した無線モードに対応して２つ（ＳＣ伝送、ＭＣ伝送）の異なる伝送モードを割り当てる（ＳＣ伝送、ＭＣ伝送を変化させる）構成とするか否かを判定する（ステップＳ３）。
【０１１８】
ステップＳ３において、ＳＣ伝送、ＭＣ伝送を変化させない（すなわち、Ｎｏ）と判定されれば、直ちに後述の１次変調方式決定処理（ステップＳ７）に移行する。
一方、ステップＳ３において、ＳＣ伝送、ＭＣ伝送を変化させる（すなわち、Ｙｅｓ）と判定されれば、周波数マッパ回路２１（マッピング部）で割り当てるポイントを決定する（ステップＳ４）。
【０１１９】
ステップＳ４におけるマッピングは、周波数帯域Ｆｉの無線モードで使用される複数の送信装置１のすべてについて、周波数帯域Ｆｉの帯域全体の受信電力を比較し、受信電力の高い周波数帯域をそれぞれの送信装置１に割り当てるように使用ポイントを決定する。
【０１２０】
このときの受信電力の比較方法としては、ＭＡＸ  ＣＩＲ（Ｃａｒｒｉｅｒ  ｔｏ  Ｉｎｔｅｒｆｅｒｅｎｃｅ  Ｒａｔｉｏ）法、ＰＦ（Ｐｒｏｐｏｒｔｉｏｎａｌ  ｆａｉｒｎｅｓｓ）法などが挙げられる。
【０１２１】
また、複数の送信装置１からの全帯域の受信電力を推定するために、パイロット信号を全帯域に挿入する多重方法としては、Ｚａｄｏｆｆ−Ｃｈｕ系列の巡回シフトによる符号多重や、分散周波数多重などによって直交化することにより、送信装置１ごとのパイロット信号を分離することが可能である。
【０１２２】
次に、マッピングで割り当てる帯域における受信電力の測定結果Ｐｉ０と、あらかじめ設定されている基準値Ｘｉ０とを比較して、両者の大小関係を判定し（ステップＳ５）、ステップＳ５の比較結果に応じて、ＭＣ伝送かＳＣ伝送かを決定する（ステップＳ６）。  具体的には、ステップＳ５の比較結果が、Ｐｉ０＞Ｘｉ０を示す場合には、伝送モードを「ＭＣ伝送」に決定し、Ｐｉ０＜Ｘｉ０を示す場合には、伝送モードを「ＳＣ伝送」に決定する。
【０１２３】
なお、ステップＳ５で用いる受信電力の基準値Ｘｉ０の最適値は、無線通信システムが想定した伝搬環境において、受信電力と最大スループットを達成する伝送モードとの関係から導き出すこともできる。
最後に、送信装置１内のデータ変調回路３９におけるデータ系列をシンボル系列に変換する１次変調方式を決定し（ステップＳ７）、図２１の処理ルーチンを終了する。
【０１２４】
なお、ステップＳ７で決定される１次変調方式としては、ＰＳＫ、ＱＡＭなどが挙げられる。また、１次変調方式の決定は、無線モードと同様に、受信電力を基準値と比較することにより判定することができる。
【０１２５】
図２１の処理により、周波数帯域Ｆｉ（ステップＳ２）と、マッピング（ステップＳ４）と、ＳＣ伝送モードまたはＭＣ伝送モード（ステップＳ６）と、１次変調方式（ステップＳ７）と、の４つの情報からなる制御情報１０６が得られる。
【０１２６】
以上のように、この発明の実施の形態１３（図２１）によれば、受信装置２の伝搬路推定評価回路９において、複数の無線モードを切替えるための基準値Ｘは、あらかじめ設定されており、伝搬路推定評価回路９は、周波数帯域ごとの評価パラメータと基準値Ｘとの比較結果に基づいて、制御情報１０６（推定評価結果）を求める。
【０１２７】
具体的には、伝搬路推定評価回路９は、複数の無線モードを切替えるための基準となる評価パラメータとして、伝搬路の受信電力Ｐを用い、伝搬路推定評価回路９で検出された受信電力Ｐの測定結果と基準値Ｘとを比較して、無線通信する際の無線モードを切替えるための制御情報１０６（推定評価結果）を求める。
これにより、送信装置１の切替制御回路６は、制御情報１０６に基づいて、送信装置１と受信装置２との間で無線通信する際の無線モードを、適応的に切替えることができる。
【０１２８】
なお、ここでは、一例として、伝搬路の特性に対応した評価パラメータを受信電力Ｐとしたが、他の評価パラメータとして、伝搬路での信号対雑音比（ＳＮＲ、ＳＩＮＲ、ＣＮＲなど）、伝搬路での受信誤り率（ＢＥＲ、ＰＥＲなど）、伝搬路での送信装置１と受信装置２との間の距離、または、伝搬路での送信装置１と受信装置２との間の伝搬遅延時間、のいずれを用いてもよく、同様の制御情報１０６が得られることは言うまでもない。
【０１２９】
また、図２１では、制御情報１０６の導出処理を示したが、伝搬路推定評価回路９は、制御情報１０６のみならず、周波数領域等化回路３８（図１８〜図２０参照）により受信信号の伝搬路歪みを等化するための「等化重み」を演算して出力する。
これにより、周波数領域等化回路３８においては、受信信号と等化重みとの乗算処理を各周波数点で行うことができる。
この場合、具体的な等化重みとしては、ＺＦ（Ｚｅｒｏ  Ｆｏｒｃｉｎｇ）基準、ＭＭＳＥ（Ｍｉｎｉｍｕｍ  Ｍｅａｎ  Ｓｑｕａｒｅ  Ｅｒｒｏｒ）基準などが挙げられる。
【０１３０】
実施の形態１４．
上記実施の形態１〜１３では、送信装置１に入力されるデータ系列の送信信号１０２を１系列としたが、図２２のように、複数系列の送信信号１０２ａ〜１０２ｋとして、送信回路５の入力側に信号合成回路１０７を挿入してもよい。
図２２はこの発明の実施の形態１４による送信装置１を示すブロック図であり、前述の実施の形態１（図２）の回路構成に適用した場合を示している。
【０１３１】
図２２において、前述（図２参照）と同様のものについては、前述と同一符号を付して詳述を省略する。また、この発明の実施の形態１４に係る無線通信システムの全体構成は、図１に示した通りであり、受信装置２の構成は、図２に示した通りである。
この場合、送信回路５において、信号合成回路１０７は、複数のデータ系列の送信信号１０２ａ〜１０２ｋを合成して、データ変調回路３９に入力する。
図２２の構成においても、前述と同様の効果を奏する。
【０１３２】
実施の形態１５．
上記実施の形態１〜１４では、単一の基地局１０１（図１）との間で通信する場合を示したが、図２３のように、複数の異なる基地局１０８、１０９との間で通信するように構成してもよい。
図２３はこの発明の実施の形態１５に係る無線通信システムを示すブロック図であり、前述（図１）と同様のものについては、前述と同一符号を付して詳述を省略する。
【０１３３】
図２３において、複数の異なる基地局１０８、１０９は、それぞれ、異なる無線モードの信号を同時に受信することが可能な受信装置１１０、１１１を備えている。
また、複数の無線端末１００内の各送信装置１は、それぞれ、無線モードを切替えて、受信装置１１０、１１１との間で通信するように構成されている。
図２３のシステム構成においても、前述と同様に、伝搬路の状況または特性に応じて異なる無線モードで通信することが可能となる。
【０１３４】
次に、図２４を参照しながら、この発明の実施の形態１〜１５による効果について、代表的に、前述の実施の形態３、８、９、１３のように２つ（ＳＣ伝送、ＭＣ伝送）の異なる伝送モードを適応的に切替える場合を例にとって、さらに具体的に説明する。
【０１３５】
前述（図２１）のように、この発明の実施の形態３、８、９、１３においては、無線モードに対応して２つ（ＳＣ伝送、ＭＣ伝送）の異なる伝送モードを適応的に切替える場合、受信装置２の受信電力Ｐが小さい（送信装置１と受信装置２との間の距離が長い）場合には、ＰＡＰＲ（Ｐｅａｋ  ｔｏ  Ａｖｅｒａｇｅ  Ｒａｔｉｏ）が小さいＳＣ伝送を行い、逆に、受信電力Ｐが大きい（送信装置１と受信装置２との間の距離が短い）場合には、ＭＣ伝送を行うように、無線通信システムが構築されている。
【０１３６】
図２４はこの発明の実施の形態３、８、９、１３による効果を示す説明図であり、複数の無線モードとしてＳＣ伝送とＭＣ伝送とを切替えて使用する通信システムのスループット値の計算機シミュレーション結果を、送信装置１と受信装置２との間の通信距離をパラメータとして示している。
【０１３７】
図２４において、横軸は通信距離［ｍ］であり、縦軸はスループットη［ｂｉｔ／ｓ／Ｈｚ］の計算値である。
実線の特性曲線（記号●のプロット）は、この発明によるスループット特性を示しており、通信距離に応じてＳＣ伝送とＭＣ伝送との２つの無線モードを切替えて使用した場合に対応している。
【０１３８】
図２４においては、この発明によるスループット特性と比較するために、ＳＣ伝送のみを用いた場合の破線の特性曲線（記号□のプロット）と、ＭＣ伝送のみを用いた場合の１点鎖線の特性曲線（記号×のプロット）とを示している。
【０１３９】
図２４のシミュレーション結果から明らかなように、ＳＣ伝送とＭＣ伝送とを切替えて用いることにより、近距離（≦６００ｍ）においては従来のＳＣ伝送のみを用いた場合に比べて高いスループットが得られ、遠距離（＞６００ｍ）においては、従来のＭＣ伝送のみを用いた場合に比べて広いカバーエリア（高スループット）が得られることが分かる。
【０１４０】
以上のように、この発明に係る無線通信システムによれば、伝搬路の状況または特性に応じて、（１）異なるＲＦ周波数帯域、および、（２）２つ（ＳＣ伝送、ＭＣ伝送）の異なる伝送モードを、適応的に最適に切替えて使用することが可能であり、高信頼、高スループット、広カバーエリアの無線通信を可能とする効果がある。
【０１４１】
なお、ＳＣ伝送またはＭＣ伝送を切替えた場合に限らず、他の複数の無線モードを切替えて用いた場合も、同様の効果が得られることは言うまでもない。
なお、上記実施の形態１〜１５では、無線通信システムについて説明したが、いずれの無線通信システムで用いられる送信装置または受信装置の一方のみにおいても、同様の効果を奏することができる。
【符号の説明】
【０１４２】
１  送信装置、２、１１０、１１１  受信装置、３ａ〜３ｋ  変調回路、４  スイッチ回路、５  送信回路、６  切替制御回路、７ａ〜７ｋ  復調回路、８  受信回路、９  伝搬路推定評価回路、１１、１１ａ〜１１ｋ、１２、１２ａ〜１２ｋ  周波数変換回路、１４  シングルキャリア（ＳＣ）伝送変調回路、１５  マルチキャリア（ＭＣ）伝送変調回路、１６  シングルキャリア（ＳＣ）伝送復調回路、１７  マルチキャリア（ＭＣ）伝送復調回路、１９  フーリエ変換回路、２０  送信フィルタ処理回路、２１  周波数マッパ回路、２２  逆フーリエ変換回路、２３  ガードインタバル回路、２４  ＤＡコンバータ回路、２６  ＡＤコンバータ回路、２７  ガードインタバル除去回路、２８  周波数デマッパ回路、２９  受信フィルタ処理回路、３０  直並列変換回路、３１  並直列変換回路、３２  シングルキャリア（ＳＣ）伝送用変調部、３３  マルチキャリア（ＭＣ）伝送用変調部、３４  シングルキャリア（ＳＣ）伝送用復調部、３５  マルチキャリア（ＭＣ）伝送用復調部、３８  周波数領域等化回路、３９  データ変調回路、４０ａ〜４０ｋ  データ復調回路、１００  無線端末、１０１、１０８、１０９  基地局、１０２、１０２ａ〜１０２ｋ  データ系列の送信信号、１０３  シンボル系列の送信信号、１０４ａ〜１０４ｋ  シンボル系列の受信信号、１０５ａ〜１０５ｋ  データ系列の受信信号、１０６  制御情報、１０７  信号合成回路、１０８  基地局、１０９  基地局、Ｆｉ  周波数帯域、Ｐｉ０  受信電力（測定結果）、Ｘｉ０  基準値。
【図１】
2012019425.tif 000006
【図２】
2012019425.tif 000007
【図３】
2012019425.tif 000008
【図４】
2012019425.tif 000009
【図５】
2012019425.tif 000010
【図６】
2012019425.tif 000011
【図７】
2012019425.tif 000012
【図８】
2012019425.tif 000013
【図９】
2012019425.tif 000014
【図１０】
2012019425.tif 000015
【図１１】
2012019425.tif 000016
【図１２】
2012019425.tif 000017
【図１３】
2012019425.tif 000018
【図１４】
2012019425.tif 000019
【図１５】
2012019425.tif 000020
【図１６】
2012019425.tif 000021
【図１７】
2012019425.tif 000022
【図１８】
2012019425.tif 000023
【図１９】
2012019425.tif 000024
【図２０】
2012019425.tif 000025
【図２１】
2012019425.tif 000026
【図２２】
2012019425.tif 000027
【図２３】
2012019425.tif 000028
【図２４】
2012019425.tif 000029
【図２５】
2012019425.tif 000030
【図２６】
2012019425.tif 000031